(57)【要約】【課題】  有機溶剤に依存しないで組織化学的または細胞化学的染色法に使用するために、生物学的試料を暴露することによる包埋媒体の除去またはエッチングのための自動化された方法を提供すること。【解決手段】  本方法は、熱を使用または使用しないで、また流体を使用または使用しないで生物学的試料スライドを加熱プラットフォームと接触させ、生物学的試料から包埋媒体の除去またはエッチィングを促進することを含んでなる。本発明は、また生物学的試料の細胞コンディショニングのための自動化された方法も提供し、その際、細胞は組織化学的または細胞化学的染色方法のために試薬分子により接近されるために予備処理される。本方法は、熱を使用または使用しないで、また流体を使用または使用しないで生物学的試料を加熱プラットフォームと接触させ、生物学的試料内の組織または細胞成分への分子の接近を促進することを含んでなる。【特許請求の範囲】
【請求項１】
細胞コンディショニングを与える間に、生物学的試料から包埋媒体を同時除去する自動化された方法において、
生物学的試料に脱パラフィン化および細胞コンディショニング試薬を適用し、そして
熱を生物学的試料にかけて包埋媒体を効果的に溶融して分離し、ここで包埋媒体は脱パラフィン化および細胞コンディショニング試薬に不混和性であり、後に検出するエピトープおよび／または標的を十分に暴露する
段階を含んでなる自動化された方法。
【請求項２】
熱をかける段階が約３７℃〜約１００℃の範囲内の温度に生物学的試料を加熱することを含む請求項１記載の自動化された方法。
【請求項３】
脱パラフィン化および細胞コンディショニング試薬が、脱イオン水、クエン酸緩衝液（ｐＨ６．０〜８．０）、トリス−ＨＣｌ緩衝液（ｐＨ６〜１０）、リン酸緩衝液（ｐＨ６．０〜８．０）、ＳＳＣ緩衝液、ＡＰＫウォッシュ（Ｗａｓｈ）ＴＭ，酸性緩衝液または溶液（ｐＨ１〜６．９）、塩基性緩衝液または溶液（ｐＨ７．１〜１４）、鉱油、ノルパール（Ｎｏｒｐａｌ）、カノーラ油、およびＰＡＧ油からなる群より選ばれる、請求項１記載の自動化された方法。
【請求項４】
脱パラフィン化および細胞コンディショニング試薬が、トリトン（Ｔｒｉｔｏｎ）Ｘ−１００、トゥイーン（Ｔｗｅｅｎ）、ブリジ（Ｂｒｉｊ）、ドデシル硫酸ナトリウムおよびサポニンからなる群より選ばれるイオン性または非イオン性界面活性剤を含む、請求項１記載の自動化された方法。
【請求項５】
不混和性脱パラフィン化および細胞コンディショニング試薬の適用に先立って、包埋媒体を含有する生物学的試料を包埋媒体の融点またはそれ以上の温度に加熱し、
液化された包埋媒体と生物学的試料から分離するために生物学的試料に、液化された包埋媒体の密度より大きい密度の脱パラフィン化および細胞コンディショニング試薬を適用し、そしてその後、
生物学的試料から液化された包埋媒体を洗い流す
段階を含んでなる請求項１記載の自動化された方法。
【請求項６】
包埋媒体がパラフィンである請求項５記載の方法。
【請求項７】
不混和性液体が水を含む請求項５記載の方法。
【請求項８】
不混和性液体が洗浄剤を含む請求項５記載の方法。
【請求項９】
洗浄剤がイオン性または非イオン性界面活性剤を含む請求項８記載の方法。
【請求項１０】
イオン性または非イオン性界面活性剤が、トリトン（Ｔｒｉｔｏｎ）Ｘ−１００、トゥイーン（Ｔｗｅｅｎ）、ブリジ（Ｂｒｉｊ）、ドデシル硫酸ナトリウムおよびサポニンからなる群より選ばれる請求項９記載の自動化された方法。
【請求項１１】
脱パラフィン化および細胞コンディショニング試薬が、脱イオン水、クエン酸緩衝液（ｐＨ６．０〜８．０）、トリス−ＨＣｌ緩衝液（ｐＨ６〜１０）、リン酸緩衝液（ｐＨ６．０〜８．０）、ＳＳＣ緩衝液、ＡＰＫウォッシュ（Ｗａｓｈ）ＴＭ，酸性緩衝液または溶液（ｐＨ１〜６．９）、塩基性緩衝液または溶液（ｐＨ７．１〜１４）、鉱油、ノルパール（Ｎｏｒｐａｌ）、カノーラ油、およびＰＡＧ油からなる群より選ばれる、請求項８記載の方法。
【請求項１２】
熱をかける段階が、約３７℃〜約１００℃の範囲の温度に生物学的試料を加熱することを含む請求項５記載の方法。
【発明の詳細な説明】
【関連する出願との関係】
【０００１】
本出願は、１９９８年９月３日付で出願された米国仮特許出願第６０／０９９，０１８号、発明の名称：「自動化された免疫組織化学的装置における組織試料および細胞からの包埋媒体の除去および組織コンディショニング」（これは、引用することにより本明細書に編入される）について優先権の利益を主張する。本出願は、また１９９９年２月２６日付で出願された米国特許出願第０９／２５９，２４０号、発明の名称：「独立したスライドヒーターを有する自動化された分子病理学装置」（これは、引用することにより本明細書に編入される）についても優先権の利益を主張する。本発明はさらに１９９９年２月２６日付で出願されたＰＣＴ特許出願番号ＰＣＴ／ＵＳ９９／０４１８１号、発明の名称：「独立したスライドヒーターを有する自動化された分子病理学装置」（これは、引用することにより本明細書に編入される）についても優先権の利益を主張する。
【技術分野】
【０００２】
本発明は、免疫組織化学的（ＩＨＣ）、インシトゥ・ハイブリダイゼーション（ＩＳＨ）またはその他の組織化学的または細胞化学的操作に先立つ、自動化された装置における生物学的試料から包埋媒体を除去するための方法に関する。本発明はまたそれぞれの標的への種々の分子の接近性を増加させ、また一般的に組織および細胞の読み取り性（ｒｅａｄａｂｉｌｉｔｙ）を改善するように、細胞または組織をコンディショニングするための方法にも関する。
【背景技術】
【０００３】
病的な生物体から採取した組織または細胞試料の解釈に基づく疾患の診断は、過去数年間で劇的に拡大している。従来の組織学的染色技術および免疫組織化学的アッセイに加えて、インシトゥ技術、例えばインシトゥ・ハイブリダイゼーションおよびインシトゥ・ポリメラーゼ連鎖反応は、今ではヒト内の病的状態診断を支援するために使用されている。従って、細胞の形態のみならず、細胞および組織内の特定のマクロ分子の存在も評価できる種々の技術がある。これら技術のいずれも試料細胞または組織を調製する必要があり、これらは薬品、例えばアルデヒド（例えばホルムアルデヒド、グルタルアルデヒド）、ホルマリン代替薬品、アルコール（例えばエタノール、メタノール、イソプロパノール）を用いる試料の固定、または不活性物質、例えばパラフィン、セロイジン、アガー、ポリマー、樹脂、低温用媒体または種々のプラスチック包埋媒体（例えばエポキシ樹脂およびアクリル）中の試料の包埋を含んでいる。その他の試料組織または細胞標本は、物理的な操作、例えば冷凍（冷凍組織切片）または微細な針を通す吸引（微細針吸引、ＦＮＡ）を必要とする。組織または細胞試料またはその調製および保存の方法に関係なく、技術者の目標は、データの正確な解釈を可能とする正確、読み取り可能でまた再現可能な結果を得ることにある。正確、読み取り可能でまた再現可能なデータを得るための一つの方法は、使用する技術に関係なく試験の結果を最適化する様式で組織または細胞を調製することである。免疫組織化学およびインシトゥ技術の場合に、これは特定のプローブ（抗体、ＤＮＡ、ＲＮＡ）から得られるシグナルの量の増加を意味する。組織化学的染色の場合には、これは染色の強さの増加または染色コントラストの上昇を意味する。
【０００４】
保存法を講じないと組織試料は急速に劣化し、そのためにその診断への使用は、これらのホストから取り出した直後に妥協して行うことになる。１８９３年に、フェルディナンド・ブルム（Ｆｅｒｄｉｎａｎｄ  Ｂｌｕｍ）は、ホルムアルデヒドが組織の保存または固定に使用でき、組織が組織化学的操作に使用できることを発見した。
【０００５】
ホルムアルデヒドが組織の固定に作用する正確な機構は、完全には確定されていないが、しかしこれは同じタンパク質内および異なるタンパク質間でのメチレン架橋を介する反応性部位の架橋を含む（非特許文献１）。最近の証拠は、カルシウムイオンも関与していることを示唆している（非特許文献２）。これらの連鎖は、タンパク質の四次および三次構造に変化を起こすが、しかし一次および二次構造は保存されると考えられる（非特許文献３）。架橋反応が起きる範囲は、条件、例えばホルマリンの濃度、ｐＨ、温度および固定の長さに依存する（非特許文献１）。ある種の抗原、例えばガストリン、ソマトスタチンおよびα−１−アンチトリプシンは、ホルマリン固定の後に検出できるが、しかし多数の抗原、例えば中間フィラメントおよび白血球マーカーに対して、ホルマリン処置後の免疫検出は、失われるかまたは著しく低下する（非特許文献４）。抗原免疫反応性の欠失は、不連続的な抗原エピトープ、すなわちエピトープの形成が連続していないタンパク質配列の部分の集密度に依存するアミノ酸配列で、最も顕著である。
【０００６】
アンチゲン・リトリーヴァル（Ａｎｔｉｇｅｎ  Ｒｅｔｒｉｖａｌ）ＴＭ（抗原復旧）は、架橋剤を用いる組織の処理がその組織内に残っている抗原内で誘発される構造的変化を「復原」する試みを記述する用語である。アンチゲン・リトリーヴァルＴＭの機構の説明を試みる数種の説、例えばホルマリン固定により形成される架橋の緩みまたは切断はあるけれども、ホルマリンによるタンパク質構造の変形は、高温加熱などの条件下では可逆的であることは明らかである。数種の因子：加熱、モル濃度および溶液中の金属イオンがアンチゲン・リトリーヴァルＴＭに影響することは明らかである(非特許文献５）。
【０００７】
マイクロ波加熱が、ホルマリン固定によりマスクされた抗原の復旧のために最も重要な因子であると考えられる。マイクロ波加熱（１００℃±５℃）は、アンチゲン・リトリーヴァルＴＭ免疫組織化学（ＡＲ−ＩＨＣ）において、一般により良い結果をもたらす。
【０００８】
種々の加熱方法がＩＨＣにおける抗原復旧に対して報告されており、例えばオトクレーブ法（非特許文献６、７）、加圧煮沸（Ｐｒｅｓｓｕｒｅ  ｃｏｏｋｉｎｇ）（非特許文献８、９）、水浴（非特許文献１０）、マイクロ波とプラスチック加圧煮沸（特許文献１、非特許文献１１）、および蒸気加熱（非特許文献１２、１３）である。
【０００９】
マイクロ波処理を蒸留水中で行うと一部の抗原では満足すべき結果が得られているが、多くの抗原では、加熱処理の間に緩衝液の使用を必要としている。一部の抗原は、特定のｐＨ要件を有し、例えば適切な結果は狭いｐＨ範囲内でのみ得られる。現在では、大部分のアンチゲン・リトリーヴァルＴＭ溶液は、約６〜８のｐＨで使用されているが、しかしさらにわずかに塩基性の溶液がいくらか良い結果を与えるのではないかとの指摘がある（非特許文献５）。
【００１０】
金属イオンを含むアンチゲン・リトリーヴァルＴＭ溶液の化学成分がマイクロ波法の可能な助因子として役立つであろうが、これまで、アンチゲン・リトリーヴァルＴＭに本質的かつ最善であると同定された単一の化学薬品はない。
【００１１】
染色強化のために多数の溶液および方法が日常的に使用されている。これらには、蒸留水、ＥＤＴＡ、尿素、トリス（Ｔｒｉｓ）、グリシン、生理食塩水およびクエン酸緩衝液が含まれ、これらに限定はされない。種々の界面活性剤（イオン性または非イオン性界面活性剤）を含む溶液も広い温度範囲（周囲温度から１００℃以上まで）で染色強化を促進できる。
【００１２】
細胞の外部に存在するであろう細胞表面分子に加えて、ＩＨＣ、ＩＳＨおよびその他の組織化学および細胞化学的な操作に関係があるその他の分子は、細胞内、しばしば核膜上に位置している。これらの分子の一部は、ホルマリンなどの固定剤（凝集性または沈降性）に暴露されると分子転換を起こす。従って、これらの分子に関して、有機および無機化合物と細胞との相互作用を促進するために、固定化の影響に打ち勝つだけでなく細胞の浸透性を増加させることが望ましい。
【００１３】
他の組織試料は、試験の前に架橋剤の作用を受けていないであろうが、しかしこれらの組織に関する改善された結果も重要である。細胞学的および組織学的試料の保存および調製のためのホルマリンを使用しない各種の方法がある。これらの方法の例には以下があるが、これらには限定されない：ａ）血液学的塗抹標本、シトスピン（Ｃｙｔｏｓｐｉｎ）ＴＭ、シンプレプ（ＴｈｉｎＰｒｅｐ）ＴＭ、タッチ標本（ｔｏｕｃｈ  ｐｒｅｐ）、細胞株、リンパ球のためのフィコール（Ｆｉｃｏｌｌ）分離があり、また軟膜などは日常的に多くの方法で保存されており、これらは下記を含むがこれらには限定されない：空気乾燥、アルコール固定、噴霧固定剤および保存媒体、例えばスクロース／グリセリン保存媒体。ｂ）組織および細胞（固定または非固定）は冷凍してその後種々の安定化技術、例えば保存、固定および乾燥を行ってもよい。ｃ）組織および細胞は、多数の非架橋性アルデヒド固定剤、アルデヒド不含固定剤、アルコール系固定剤、酸化剤、重金属固定剤、有機酸および輸送媒体中で安定化されていてもよい。
【００１４】
試験結果を改善する一つの方法は、与えられた試料から得られるシグナルを増加させることである。一般的な意味では、増加したシグナルは、与えられた分子のその標的に対する接近可能性の上昇により得ることができる。細胞内に存在する抗原の場合のように、細胞内の標的は、細胞の浸透性を増加させ、これにより細胞内へより多数の分子を進入させ、これにより分子が標的内に「存在」する確率を増加させて、細胞にさらに接近可能とする。このような増加した浸透度は、例えばＩＳＨ、インシトゥＰＣＲ、ＩＨＣ、組織化学および細胞化学のような技術では特に重要である。
【００１５】
組織および細胞は、また将来の分析のためのこれらの保存を支援するために種々の不活性媒体（パラフィン、セロイジン、ＯＣＴＴＭ、アガー、プラスチックまたはアクリルなど）中に包埋される。多数のこれらの不活性物質は疎水性であり、組織学および細胞学的適用のために使用される試薬は大部分が親水性であり、従って、不活性媒体は、試験に先立って生物学的試料から除去される必要がある。例えば、パラフィン包埋組織切片は、引き続いての試験のために、種々の有機溶剤、例えばトルエン、キシレン、リモネンまたはその他の適合する溶剤にスライドを通過させて、組織切片からパラフィンを除去して調製される。従来の脱パラフィン法は有機溶剤を使用し、これは一般にプロセスを通気フード中で行うことを要求する。さらにこれらの溶剤の使用および排気は、分析のコストおよびそれぞれの試験する組織試料にこれによる暴露リスクを上昇させる。
【００１６】
現在、自動化した様式でスライドを直接加熱して試料組織から不活性媒体を除去するために利用できる技術はない。また試料組織または細胞を一段自動化染色法によりコンディショニングする間に試料組織から不活性媒体を除去することは現在できない。
【００１７】
本発明の方法は、ａ）有機溶剤を用いないで包埋媒体の自動化された除去、従って染色のための細胞の暴露およびこれによる時間、コストおよび安全問題の低下、ｂ）試料細胞または組織からの包埋媒体の自動化された除去を伴なわない自動化された細胞コンディショニング、ｃ）細胞を暴露する自動化された多段方法は細胞コンディショニングを行い、そして細胞学的または組織学的標本の浸透度を増加させ、これにより試料の読み取り性を増加しまた試験データの解釈を改善することを可能とさせる。本発明の方法は、細胞学的および組織学的染色技術に関連して用いられる大部分の組織学的および細胞学的試料の染色性および読み取り可能性を改善するために用いることができる。
【特許文献１】米国特許；テイラーら（Ｔａｙｌｏｒ  ｅｔ  ａｌ．，（１９９５））
【非特許文献１】フォックスら（Ｆｏｘ  ｅｔ  ａｌ．，Ｊ．Ｈｉｓｔｏｃｈｅｍ．Ｃｙｔｏｃｈｅｍ．３３：８４５−８５３（１９８５））
【非特許文献２】モーガンら（Ｍｏｒｇａｎ  ｅｔ  ａｌ．，Ｊ．Ｐａｔｈ．１７４：３０１−３０７（１９９４））
【非特許文献３】メイソンら（Ｍａｓｏｎ  ｅｔ  ａｌ．，Ｊ．Ｈｉｓｔｏｃｈｅｍ．Ｃｙｔｏｃｈｅｍ．３９：２２５−２２９（１９９１））
【非特許文献４】マクニコルおよびリッチモンド（ＭｃＮｉｃｏｌ  ＆  Ｒｉｃｈｍｏｎｄ，Ｈｉｓｔｏｐａｔｈｏｌｏｇｙ  ３２：  ９７−１０３（１９９８））
【非特許文献５】シら（Ｓｈｉ  ｅｔ  ａｌ．，Ｊ．Ｈｉｓｔｏｃｈｅｍ．Ｃｙｔｏｃｈｅｍ．４５：３２７−３４３（１９９７））
【非特許文献６】ポンスら（Ｐｏｎｓ  ｅｔ  ａｌ．，Ａｐｐｌ．Ｉｍｍｕｎｏｈｉｓｔｏｃｈｅｍ．３：  ２６５−２６７（１９９５））
【非特許文献７】バンクファルヴィら（Ｂａｎｋｆａｌｖｉ  ｅｔ  ａｌ．，Ｊ．Ｐａｔｈ．１７４：２２３−２２８（１９９４））
【非特許文献８】ミラーおよびエストラン（Ｍｉｌｌｅｒ  ＆  Ｅｓｔｒａｎ，Ａｐｐｌ．Ｉｍｍｕｎｏｈｉｓｔｏｃｈｅｍ．３：  １９０−１９３（１９９５））
【非特許文献９】ノートンら（Ｎｏｒｔｏｎ  ｅｔ  ａｌ．，Ｊ．Ｐａｔｈ．１７３：３７１−３７９（１９９４））
【非特許文献１０】カワイら（Ｋａｗａｉ  ｅｔ  ａｌ．，Ｐａｔｈ．Ｉｎｔ．４４：７５９−７６４（１９９４））
【非特許文献１１】パーチュクら（Ｐｅｒｔｓｃｈｕｋ  ｅｔ  ａｌ．，Ｊ．Ｃｅｌｌ  Ｂｉｏｃｈｅｍ．１９（Ｓｕｐｐｌ．）１３４−１３７（１９９４））
【非特許文献１２】パシャら（Ｐａｓｈａ  ｅｔ  ａｌ．，Ｌａｂ．Ｉｎｖｅｓｔ．７２：１６７Ａ（１９９５））
【非特許文献１３】テイラーら（Ｔａｙｌｏｒ  ｅｔ  ａｌ．ＣＡＰ  Ｔｏｄａｙ  ９：１６−２２（１９９５））
【発明の開示】
【００１８】
本発明は、有機溶剤を用いないで包埋媒体を除去することによる、組織学的または細胞学的試験方法に使用するための生物学的試料を暴露するための自動化された方法に関する。
【００１９】
本発明は、さらに細胞コンディショニングのための自動化された方法にも関し、これにより生物学的試料中の分子の接近性を改善する。
【００２０】
本発明は、また組織学的および細胞学的適用のための生物学的試料の同時暴露および細胞コンディショニングのための自動化された方法にも関する。
【発明を実施するための最良の形態】
【００２１】
本発明の一つの態様は、保存および支持のためにその中に生物学的試料が包埋されている不活性物質の除去による生物学的試料の暴露に関する。本発明の好ましい態様では、パラフィンまたはその他の不活性物質を、生物学的試料の一面を加熱して生物学的試料から除去する。これは、その上に包埋された試料が置かれている顕微鏡スライドの接触加熱により行ってもよい。包埋された生物学的試料から除去できるその他の不活性物質には、アガーおよび冷凍用媒体が含まれるが、これに限定はされない。不活性包埋媒体の除去または包埋媒体のエッチングのこの方法は、本明細書中では暴露と呼ぶ。
【００２２】
本発明の好ましい態様では、ガラススライド上にあるパラフィン包埋生物学的試料を最初に加熱エレメントにより加熱する。加熱エレメントは生物学的試料の一方の側で〔例えば米国特許出願第０９／２５９，２４０号（引用することにより本明細書に編入される）中に開示された加熱プラットフォーム〕自動化された染色装置（米国特許出願第０８／９９５，０５２号、出願１９９７年１２月１９日および米国暫定特許出願第６０／０７６，１９８号、出願１９９８年２月２７日、いずれも引用することにより本明細書に編入される）内で、試料スライドを乾燥し、パラフィンを溶融するように熱を暴露する。標準的には、生物学的試料をスライド（例えばガラススライド）の上面の上に置く。次いでスライドを加熱プラットフォームの上に置いて、スライドの下面が加熱プラットフォームと接触するようにする。加熱プラットフォームは、伝導を介してスライドの下面を加熱する。生物学的試料の加熱の後、不活性物質はスライドから流体（気体または液体として）により除去してもよい。例えば不活性物質を脱イオン水および界面活性剤を用いてリンスしてもよい。
【００２３】
本発明の他の方法では、パラフィンに包埋されている生物学的試料をガラス顕微鏡スライド上に置き、顕微鏡スライドを加熱エレメント上に置く。試薬を生物学的試料スライド上に置き、次いで生物学的試料スライドを不活性物質の溶融を起こす高温に暴露し、そしてその後不活性物質をスライドから流体（気体または液体として）を用いて除去してもよい。
【００２４】
本発明の好ましい態様では、試薬は包埋された生物学的試料の加熱に関連して使用される。適合する試薬は、脱イオン水、クエン酸緩衝液（ｐＨ６．０〜８．０）、トリス−ＨＣｌ緩衝液（ｐＨ６〜１０）、リン酸緩衝液（ｐＨ６．０〜８．０）、ＳＳＣ緩衝液、ＡＰＫウオッシュＴＭ、酸性緩衝液または溶液（ｐＨ１〜６．９）、塩基性緩衝液または溶液（ｐＨ７．１〜１４）、鉱油、ノルパール（Ｎｏｒｐａｒ）、カノーラ油、およびＰＡＧ油を含んでいてもいが、これに制限はされない。これらそれぞれの試薬は、またイオン性または非イオン性界面活性剤、例えばトリトン（Ｔｒｉｔｏｎ）Ｘ−１００、トゥイーン（Ｔｗｅｅｎ）、ブリジ（Ｂｒｉｊ）、サポニンおよびドデシル硫酸ナトリウムを含んでいてもよい。
【００２５】
本発明の方法において、加熱エレメントの温度は、不活性物質の融点を越える温度まで上昇される。例えば純パラフィンの融点は、メルクインデックス（Ｍｅｒｃｋ  Ｉｎｄｅｘ）では５０〜５７℃と表示されている。従って、本発明の方法においては、温度は、生物学的試料が包埋されているパラフィンの融点を越えている。本発明の好ましい態様では、温度は５０℃を越え、約１３０℃まで上げられる。
【００２６】
本発明の方法において、不活性物質を溶融させるために必要な時間の長さは、使用した温度および包埋物質に従って変化する。標準的には、自動化された系において、プロセッサー、例えばマイクロプロセッサーが記憶装置と関連して使用される。パラフィンを溶融するために必要な時間の長さおよび温度は、記憶装置中に含まれる表内に含まれている。
【００２７】
パラフィンに包埋された生物学的試料は、高温に２分間〜６０分間曝される。
本発明の方法に使用される加熱エレメントは、生物学的試料が置かれた表面と加熱エレメントとの間の十分な接触が維持されることを要求する。
【００２８】
本発明の他の態様は、保存および支持のために生物学的試料が包埋されている不活性物質の除去を行わない生物学的試料の暴露に関する。本発明の好ましい態様では、生物学的試料は、包埋された生物学的試料が置かれている顕微鏡スライドの接触加熱により、試験に供することができる。包埋された生物学的試料から除去されないその他の不活性物質は、プラスチックまたはセロイジン包埋媒体および／またはその他のポリマーおよび樹脂を含むが、これに限定はされない。
【００２９】
本発明の好ましい態様では、ガラススライド上に置かれた包埋された生物学的試料は、最初に加熱エレメントにより加熱される。加熱エレメントは生物学的試料の一方の側で、例えば米国特許出願第０９／２５９，２４０号中に開示された加熱プラットフォームを用いて、自動化された染色装置（米国特許出願第０９／９９５，０５２号および６０／０７６，１９８号）内で、試料を乾燥させるように熱を暴露する。
【００３０】
本発明の他の方法では、包埋された生物学的試料をガラス顕微鏡スライド上に置き、顕微鏡スライドを一方の側で加熱する（例えばスライドを加熱プラットフォーム上に配置して）。次いで試薬を生物学的試料スライド上に置き、次いで生物学的試料を試薬と一緒に規定の温度（周囲温度から１００℃以上までの範囲）に、規定の時間長さ（２分間から１２時間までの範囲）加熱する。これは不活性包埋物質の表面にエッチングを起こし、その後、エッチング試薬を流体（気体または液体として）によりスライドから除去してもよい。以上に考察したように、時間の長さおよび規定された温度は、記憶装置中に記憶されている。
【００３１】
本発明の好ましい態様では、包埋された生物学的試料の加熱を伴いまたは伴わないで、試薬が使用される。適合する試薬は、脱イオン水、クエン酸緩衝液（ｐＨ６．０〜８．０）、トリス−ＨＣｌ緩衝液（ｐＨ６〜１０）、リン酸緩衝液（ｐＨ６．０〜８．０）、ＳＳＣ緩衝液、ＡＰＫウオッシュＴＭ、酸性緩衝液または溶液（ｐＨ１〜６．９）、塩基性緩衝液または溶液（ｐＨ７．１〜１４）、鉱油、ノルパール、カノーラ油、およびＰＡＧ油を含むが、これに制限はされない。
【００３２】
これらそれぞれの試薬は、またイオン性または非イオン性界面活性剤、例えばトリトンＸ−１００、トゥイーン、ブリジ、サポニンおよびドデシル硫酸ナトリウムを含んでいてもよい。
【００３３】
本発明の方法において、加熱エレメントの温度は、包埋されている生物学的試料の乾燥またはエッチングのための適切なレベルに設定されている。例えばエッチングはメタノール水酸化ナトリウム（ナトリウムメトキシド）の塩基性溶液を用いて、周囲温度から３７℃までの範囲の温度で行ってもよい。
【００３４】
本発明の方法において、不活性物質をエッチングするために必要な時間は、使用する温度および包埋物質（プラスチックまたはセロイジン包埋媒体および／またはその他のポリマーおよび樹脂など）に従って変化する。本発明の好ましい態様では、包埋された生物学的試料は、適切な温度に２分間〜１２時間曝される。
【００３５】
本発明の方法に使用される加熱エレメントは、生物学的試料が置かれた表面と加熱エレメントとの間の十分な接触が維持されることを要求する。
【００３６】
本発明の好ましい態様は、また生物学的試料から不活性包埋物質の除去またはエッチングと平行、後続または独立のいずれかの細胞コンディショニングの自動化された方法も含んでなる。適合する（有機または無機）試薬内の生物学的試料の加熱は、細胞内の標的分子（タンパク質、核酸、炭水化物、脂質、色素またはその他の小さい分子）への試薬の接近性を改善することが知られている。分子標的への試薬（有機または無機）の接近性を改善するこの方法は、本明細書中では細胞コンディショニングと呼ぶ。
【００３７】
本発明の一つの方法では、細胞コンディショニングは、生物学的試料が上記のように暴露されている間に達成される。本発明のこの方法では、生物学的試料をガラス顕微鏡スライド上に置き、そして顕微鏡スライドを一方の側で（例えばスライドを加熱プラットフォーム上に置いて）自動化された染色装置（米国特許出願第０８／９９５，０５２号および６０／０７６，１９８号）内で加熱する。試薬を生物学的試料の上に置き、そして加熱エレメントの温度は上昇させてもさせなくてもよい。生物学的試料は、不活性物質の溶融またはエッチングを起こし、そして組織学的または細胞学的技術を用いて引き続いて染色されるように生物学的試料の細胞コンディショニングをさせる、適切な時間の長さで適切な温度に暴露する。
【００３８】
細胞コンディショニングに使用される試薬は、包埋された生物学的試料を暴露するためのものと同じであることができる。例えば、ＤＮＡ標的に対して、細胞コンディショニング溶液はＥＤＴＡの溶液であってもよく、共通の温度設定は６〜６０分間の時間で９５℃であってもよい。タンパク質標的に対しては、細胞コンディショニング溶液はホウ酸緩衝液であってもよく、共通の温度設定は６〜６０分間の時間で１００℃を越えていてもよい。ＲＮＡ標的に対しては、細胞コンディショニング溶液はＳＳＣの溶液であってもよく、共通の温度設定は６〜６０分間の時間で７５℃であってもよい。組織化学反応、例えばヘマトキシリンおよびエオシン（Ｈ＆Ｅ）染色に対しては、細胞コンディショニング溶液は処理した脱イオン水であってもよく、共通の温度設定は６〜３０分間の時間で６０〜８０℃であってもよい。可能な試薬の一部の表は、グ編「分析形態学」（ＡｎａｌｙｔｉｃａｌＭｏｒｐｈｏｌｏｇｙ，Ｇｕ  ｅｄ．，Ｅａｔｏｎ  Ｐｕｂｌｉｓｈｉｎｇ  Ｃｏ．（１９９７））、１〜４０ページにある。
【００３９】
溶液は、一般に既知のモル濃度、ｐＨ、および組成でなければならない。ドデシル硫酸ナトリウム（ＳＤＳ）、エチレングリコールが、好ましくはコンディショニング溶液に加えられる。それに加えて、金属イオンまたはその他の物質を、細胞コンディショニングの有効性を上昇させるためにこれらの試薬に加えてもよい。
【００４０】
本発明の他の方法では、生物学的試料が上記のように暴露された後に、細胞コンディショニングを行う。本発明のこの方法では、生物学的試料をガラス顕微鏡スライド上に置き、そして顕微鏡スライドを一方の側で（例えばスライドを加熱プラットフォーム上に置いて）自動化された染色装置（米国特許出願第０８／９９５，０５２号および６０／０７６，１９８号）内で加熱する。この方法では、ガラススライド上に置かれた包埋された生物学的試料は、最初に、試料スライドが乾燥し、包埋物質が溶融またはエッチングされるように、自動化された染色装置内で加熱エレメントにより加熱され、そして流体を適用して除去される。生物学的試料の暴露に続いて、組織学的または細胞学的技術を用いて引き続いて染色される生物学的試料の細胞コンディショニングができるように適合する試薬を適用する。
【００４１】
細胞コンディショニングに使用される試薬は、包埋された生物学的試料の暴露のためのものと同じであることができる。例えば、ＤＮＡ標的に対しては、細胞コンディショニング溶液はＳＳＣの溶液であってもよく、共通の温度設定は６〜６０分間の時間で９５℃であってもよい。タンパク質標的に対しては、細胞コンディショニング溶液はリン酸緩衝液であってもよく、共通の温度設定は６〜６０分間の時間で１００℃を越えていてもよい。ＲＮＡ標的に対しては、細胞コンディショニング溶液はＳＳＣの溶液であってもよく、共通の温度設定は６〜６０分間の時間で７５℃であってもよい。組織化学反応、例えばトリクロム（Ｔｒｉｃｈｒｏｍｅ）染色に対しては、細胞コンディショニング溶液はブアン（Ｂｏｕｉｎ）であってもよく、共通の温度設定は６〜３０分間の時間で６０〜８０℃であってもよい。
【００４２】
本発明のさらに別の方法では、細胞コンディショニングは、生物学的試料を暴露しなくても達成される。本発明のこの方法では、生物学的試料をガラス顕微鏡スライド上に置き、そして顕微鏡スライドを自動化された染色装置内で加熱エレメント上に置く。試薬を生物学的試料上に置き、加熱エレメントの温度は上昇させてもさせなくてもよい。生物学的試料の細胞コンディショニングは、組織学的または細胞学的技術を用いる染色に先立って、行ってもよい。
【００４３】
細胞コンディショニングに使用する試薬は、包埋された生物学的試料を暴露するためのものと同じであることができる。例えば、ＤＮＡ標的に対しては、細胞コンディショニング溶液はクエン酸ナトリウム溶液であってもよく、共通の温度設定は６〜６０分間の時間で９０℃であってもよい。タンパク質標的に対しては、細胞コンディショニング溶液は尿素溶液であってもよく、共通の温度設定は６〜６０分間の時間で１００℃を越えていてもよい。全細胞（ｗｈｏｌｅ  ｃｅｌｌ）に対しては、細胞コンディショニング溶液はメタノールの溶液であってもよく、共通の温度設定は４〜１０分間の時間で周囲温度であってもよい。組織化学反応、例えば抗酸バシラス（Ａｃｉｄ  Ｆａｓｔ  Ｂａｃｉｌｌｉ）（ＡＦＢ）染色に対しては、細胞コンディショニング溶液はラッカセイ油であってもよく、共通の温度設定は３０〜６０分間の時間で６０〜７０℃であってもよい。
【００４４】
本発明は、また細胞学的標本、例えば微細針吸引（ＦＮＡ）塗抹標本、タッチ標本、フィコール、シトスピン（Ｒ）、シンプレプ（Ｒ）、子宮頸部塗抹標本、血液または体液膜などの細胞コンディショニングも含んでなり、これらはアルデヒドを用いて固定されないで、またマトリックス、例えばパラフィン中に包埋されてもいないものである。多くのものは、アルコール、例えばメタノールまたはエタノール中に固定されており、その他はヘアスプレーまたはその他のエーロゾル固定剤を用いてスプレー処理され、そして乾燥されており、さらにその他のものはなかでもカーボワックス（ｃａｒｂｏｗａｘ）およびサッコマンノ（Ｓａｃｃｏｍａｎｎｏ）（有機または無機）試薬を含む細胞学的固定剤中に配置されている。細胞は、遠心分離または濾過してスライドとするかまたは直接ガラススライドに接触させ、またある場合には塗抹（ＰＡＰ’ｓ）または直接スライドに適用（タッチ標本）する。
【００４５】
用語「生物学的試料」は、標準ガラス顕微鏡スライドに乗せることができるあらゆる細胞の集団（ルーズまたは組織内）を意味し、これは器官の切片、ガン切片、体液、塗抹標本、冷凍切片、血液、細胞学標本、微生物および細胞株を含み、これには限定されない。
【００４６】
用語「染色」は、生物学的試料中の標的分子に適用された場合に、分子を顕微鏡検査で検出可能とするあらゆる生物学または化学的物体を意味する。染色は、限定されることなく、検出可能な核酸プローブ、抗体、および組合せまたはそれ自体で着色した最終製品（明視野または蛍光により）をもたらすその他の試薬を含む。
【００４７】
以下の実施例は、説明のためのみに提出するものであり、いかなる意味でも本発明を制限することを意図せずまたそのように解釈してはならない。当該技術分野の熟練者は、下記の変形法は本発明の精神または範囲から外れることなく可能であることを認めるであろう。すべての特許、特許出願、およびその他の公開文献は、ここにその全体を引用して編入する。
【実施例１】
【００４８】
Ｈ＆Ｅを用いて染色した生物学的試料を用いる自動化された「暴露」および「細胞コンディショニング」
パラフィン中に包埋されている胸ＣＨＴＮ３３、胃１４９Ｇ、脳、扁桃および腎臓を含む生物学的試料を、下記の手順に従って暴露した。上記の生物学的試料を含むスライドを自動化された装置〔ヴェンタナ・メディカル・システムズ社（Ｖｅｎｔａｎａ  Ｍｅｄｉｃａｌ  Ｓｙｓｔｅｍｓ，Ｉｎｃ．，Ｔｕｓｃｏｎ，ＡＺ）〕に置き、下記の暴露プロトコールで処理した。一般に、パラフィン包埋された試料を含むスライドを６５℃に６分間乾燥加熱し、次いで１ｘクエン酸緩衝液、脱イオン水、１０ｍＭリン酸緩衝液（ｐＨ＝６．３）、または１０ｍＭトリス−ＨＣｌ緩衝液（ｐＨ＝７．４）、いずれも０．１％トリトンを含むもの、を用いてリンスした。
暴露プロトコール１
１．２分間インキュベーションする。
２．スライドをリンスする。
３．スライド体積を調整し、リキッド・カバースリップ（ｌｉｑｕｉｄ  ｃｏｖｅｒｓｌｉｐ）ＴＭを適用する。
４．６分間インキュベーションする。
５．スライドをリンスする。
６．スライド体積を調整し、リキッド・カバースリップＴＭを適用する。
７．６５．０℃に温度を上げる。
８．スライドをリンスする。
９．スライド体積を調整し、リキッド・カバースリップＴＭを適用する。
１０．４分間インキュベーションする。
１１．スライド体積を調整し、リキッド・カバースリップＴＭを適用する。
１２．４分間インキュベーションする。
１３．スライド体積を調整し、リキッド・カバースリップＴＭを適用する。
１４．４分間インキュベーションする。
１５．スライドをリンスする。
１６．温度を４２．０℃に下げる。
１７．スライド体積を調整し、リキッド・カバースリップＴＭを適用する。
１８．４分間インキュベーションする。
１９．スライドをリンスする。
２０．温度を４２．０℃に下げる。
２１．スライド体積を調整し、リキッド・カバースリップＴＭを適用する。
２２．４分間インキュベーションする。
２３．スライドをリンスする。
【００４９】
自動化された暴露の後に、生物学的試料をヘマトキシリンおよびエオシンを用いて下記の方法で染色した。スライドをヘマトキシリン１〔リチャード・アレン・サイエンティフィック（Ｒｉｃｈａｒｄ  Ａｌｌｅｎ  Ｓｃｉｅｎｔｉｆｉｃ，Ｋａｌａｍａｚｏｏ，ＭＩ）〕中で１．５分間置き、次いで脱イオン水の流水を用いて１分間リンスした。次いでスライドを酸アルコール・クライファイアー（ａｃｉｄ  ａｌｃｏｈｏｌ  ｃｌａｒｉｆｉｅｒ）（リチャード・アレン・サイエンティフィック）中に１分間置き、次いで脱イオン水の流水を用いて１分間リンスした。次いでスライドを希釈アンモニア青色化試薬中に１分間〔リチャード・アレン・サイエンティフィック（Ｋａｌａｍａｚｏｏ，ＭＩ）〕に置き、次いで脱イオン水の流水中で１分間リンスした。次いでスライドを９５％エタノールを用いてリンスし、次いで２．５％エオシンＹ〔リチャード・アレン・サイエンティフィック（Ｋａｌａｍａｚｏｏ，ＭＩ）〕中に２．５分間置いた。生物学的試料を１００％エタノール浴中に１分間暴露してスライド上の生物学的試料を脱水した。この手順を３回反復し、次いで生物学的試料をキシレン浴中に３分間、２回暴露した。脱水段階の後、生物学的試料をカバースリップで覆った。
【００５０】
対照生物学的試料を従来の溶剤−ベースの脱パラフィン化技術により脱パラフィンした。顕微鏡スライド上に置かれパラフィン中に保存されている生物学的試料をキシレン浴中に５分間完全に浸漬させた。生物学的試料を含むスライドを第二のキシレン浴中に５分間置いた。第二のキシレン浴から取り出した後、スライドを１００％エタノール浴中に３分間置いた。次いでスライドを第二の１００％エタノール浴中に３分間置き、次いで９０％エタノール浴中に２分間置いた。次いでスライドを８０％エタノール浴中に２分間置き、次いで蒸留水中に１〜３分間完全に浸漬した。脱パラフィンの後、生物学的試料をヘマトキシリンおよびエオシンを用いて上記のようにして染色した。
【００５１】
溶剤法および自動化加熱法により脱パラフィンした生物学的試料をヘマトキシリンおよびエオシンにより染色した後に比較した。スライドのすべての組の形態は、許容可能で、本質的に同等であった。自動化された加熱法により暴露した扁桃および脳の生物学的試料は、標準溶剤法により脱パラフィンした生物学的試料よりも強いヘマトキシリン染色を示した。
【実施例２】
【００５２】
同時「細胞コンディショニング」を用いる生物学的試料の自動化された「暴露」
ホルマリン固定され、そしてパラフィン中に包埋されている腎臓Ｑ−１０および扁桃Ｔ９９８Ｄの生物学的試料を実施例１に記載したプロトコールに従って暴露した。自動化した暴露の後、生物学的試料を免疫組織化学的染色に用いられるＤＡＢパラフィンプロトコールで処理した。ＤＡＢ染色のためのプロトコールは下記である。
１．２分間インキュベーションする。
２．スライドをリンスする。
３．スライド体積を調整し、リキッド・カバースリップＴＭを適用する。
４．スライドをリンスする。
５．スライド体積を調整し、リキッド・カバースリップＴＭを適用する。
６．スライドをリンスする。
７．スライド体積を調整し、リキッド・カバースリップＴＭを適用する。
８．インヒビター一滴を適用する。
９．４分間インキュベーションする。
１０．スライド体積を調整し、リキッド・カバースリップＴＭを適用する。
１１．一次抗体一滴を適用する。
１２．３２分間インキュベーションする。
１３．スライド体積を調整し、リキッド・カバースリップＴＭを適用する。
１４．ビオチン化Ｉｇ（Ｂｉｏｔｉｎｙｌａｔｅｄ  Ｉｇ）一滴を適用する。
１５．８分間インキュベーションする。
１６．スライドをリンスする。
１７．スライド体積を調整し、リキッド・カバースリップＴＭを適用する。
１８．アビジン−ＨＲＰＯ一滴を適用する。
１９．８分間インキュベーションする。
２０．スライドをリンスする。
２１．スライド体積を調整し、リキッド・カバースリップＴＭを適用する。
２２．ＤＡＢ一滴およびＤＡＢ  Ｈ２  Ｏ２  一滴を適用する。
２３．８分間インキュベーションする。
２４．スライドをリンスする。
２５．スライド体積を調整し、リキッド・カバースリップＴＭを適用する。
２６．カッパー（Ｃｏｐｐｅｒ）一滴を適用する。
２７．４分間インキュベーションする。
２８．スライドをリンスする。
【００５３】
腎臓Ｑ−１０生物学的試料に使用した一次抗体は、Ａｎｔｉ−ＣＤ１５〔ヴェンタナ・メディカル・システムズ社（Ｔｕｓｃｏｎ，ＡＺ）、カタログ番号２５０−２５０４〕であった。扁桃Ｔ９９８Ｄ生物学的試料に使用した一次抗体は、Ａｎｔｉ−ＣＤ４５ＲＯ〔ヴェンタナ・メディカル・システムズ社（Ｔｕｓｃｏｎ，ＡＺ）、カタログ番号２５０−２５６３〕であった。使用したＤＡＢ染色キットは、ヴェンタナ・メディカル・システムズ社（Ｔｕｓｃｏｎ，ＡＺ）、カタログ番号２５０−００１から入手した。
【００５４】
対照生物学的試料を実施例１に記載のようにして従来の溶剤−ベースの脱パラフィン化技術により脱パラフィンした。脱パラフィンの後、生物学的試料を１．５Ｌ  １ｘクエン酸緩衝液を入れた加圧煮沸器〔モデル＃６２１０４、ノーディック・ウエア（Ｎｏｒｄｉｃ  Ｗａｒｅ，Ｍｉｎｎｅａｐｏｌｉｓ，ＭＮ）〕中に置いた。次いで加圧煮沸器を密封し、マイクロ波オーブン〔モデル＃ＭＱＳＯ８３６Ｅ、マツシタ（Ｍａｔｓｕｓｈｉｔａ，Ｆｒｎａｋｌｉｎ  Ｐａｒｋ，ＩＬ）〕中に置いた。「高」に設定したマイクロ波オーブンを用いて、試料を約３０分間マイクロ波加熱した。マイクロ波処理の後、蓋を確実に閉めた加圧煮沸器中で試料を３０分間「キュア」した。キュア処理の後、生物学的試料を１ｘクエン酸緩衝液中に２分間置いた。次いで生物学的試料をクエン酸緩衝液から取り出し、スライドの末端を吸い取って過剰のクエン酸緩衝液を取り除いた。吸い取りの後、スライドを自動化装置に置き、上記のようにして免疫組織化学的に染色した。
【００５５】
溶剤法および自動化された暴露により脱パラフィンと同時に細胞コンディショニング技術を行った生物学的試料を免疫組織化学的染色の後に比較した。スライドのすべての組の形態は、許容可能で、本質的に同等であった。
【実施例３】
【００５６】
二段の自動化された「暴露」および「細胞コンディショニング」
ラフィン中に保存し、ホルムアルデヒドを用いて処理した扁桃Ｔ９９８Ｄ、扁桃Ｋｉ６７、Ｅ６８、Ｅ７、Ｅ３３、Ｅ８、Ｅ２９、Ｅ１５およびＥ６８の生物学的試料を下記のプロトコールにより処理した。
暴露および細胞コンディショニング
１．２分間インキュベーションする。
２．サーモフォイル（ｔｈｅｒｍｏｆｏｉｌ）温度を６５．０℃に上げる。
３．６分間インキュベーションする。
４．スライドをリンスしカバースリップを適用する。
５．６分間インキュベーションする。
６．スライドをリンスしカバースリップを適用する。
７．サーモフォイル温度を１００．０℃に上げる。
８．スライド体積を調整し、リキッド・カバースリップＴＭを適用する。
９．スライドをリンスする。
１０．スライド体積を調整し、リキッド・カバースリップＴＭを適用する。
１１．４分間インキュベーションする。
１２．スライド体積を調整し、リキッド・カバースリップＴＭを適用する。
１３．４分間インキュベーションする。
１４．スライド体積を調整し、リキッド・カバースリップＴＭを適用する。
１５．４分間インキュベーションする。
１６．スライド体積を調整し、リキッド・カバースリップＴＭを適用する。
１７．４分間インキュベーションする。
１８．スライド体積を調整し、リキッド・カバースリップＴＭを適用する。
１９．４分間インキュベーションする。
２０．スライド体積を調整し、リキッド・カバースリップＴＭを適用する。
２１．４分間インキュベーションする。
２２．スライド体積を調整し、リキッド・カバースリップＴＭを適用する。
２３．４分間インキュベーションする。
２４．スライド体積を調整し、リキッド・カバースリップＴＭを適用する。
２５．４分間インキュベーションする。
２６．スライド体積を調整し、リキッド・カバースリップＴＭを適用する。
２７．４分間インキュベーションする。
２８．スライドをリンスする。
２９．温度を４２．０℃に下げる。
３０．スライド体積を調整し、リキッド・カバースリップＴＭを適用する。
３１．４分間インキュベーションする。
３２．スライドをリンスする。
３３．温度を２０．０℃に下げる。
３４．スライド体積を調整し、リキッド・カバースリップＴＭを適用する。
３５．４分間インキュベーションする。
３６．スライドをリンスする。
【００５７】
このプロトコールで使用した緩衝液は、２０％ホルムアルデヒドまたは０．１％トリトンにいずれかを含むＳＳＣ緩衝液であった。生物学的試料を上記のプロトコールで処理した後に、実施例２の免疫組織化学染色に使用したＤＡＢパラフィンプロトコールを適用した。扁桃生物学的試料を、一次抗体としてａｎｔｉ−Ｋｉ６７を用いて処理した。試料Ｅ６８、Ｅ７、Ｅ３３およびＥ８生物学的試料は、一次抗体として抗エストロゲン受容体（６Ｆ１１）を用いて処理した。Ｅ２９、Ｅ１５およびＥ６８生物学的試料を一次抗体として抗プロゲステロン受容体（１Ａ６）を用いて処理した。
【００５８】
対照生物学的試料を実施例１のようにして従来の溶剤−ベースの脱パラフィン化技術により脱パラフィンした。脱パラフィンの後、生物学的試料を１．５Ｌ１ｘクエン酸緩衝液を入れた加圧煮沸器〔モデル＃６２１０４、ノーディックウエア（Ｍｉｎｎｅａｐｏｌｉｓ，ＭＮ）〕中に置いた。次いで加圧煮沸器を密封し、マイクロ波オーブン〔モデル＃ＭＱＳＯ８３６Ｅ、マツシタ（Ｆｒａｎｋｌｉｎ  Ｐａｒｋ，ＩＬ）〕中に置いた。「高」に設定したマイクロ波オーブンを用いて、試料を約３０分間マイクロ波加熱した。マイクロ波処理の後、蓋を確実に閉めた加圧煮沸器中で試料を３０分間「キュア」した。キュア処理の後、生物学的試料を１ｘクエン酸緩衝液中に２分間置いた。次いで生物学的試料をクエン酸緩衝液から取り出し、スライドの末端を吸い取って過剰のクエン酸緩衝液を取り除いた。吸い取りの後、スライドを自動化装置に置き、上記のようにして免疫組織化学的に染色した。
【００５９】
溶液法および自動化暴露により脱パラフィンした生物学的試料を免疫組織化学的染色の後に比較した。スライドのすべての組の形態は、許容可能で本質的に同等であった。
【実施例４】
【００６０】
インシトゥ（シンプレプＴＭ）のための非パラフィン包埋細胞株の自動化された細胞コンディショニング
シティク標本溶液（Ｃｙｔｙｋ  ｐｒｅｐａｒａｔｉｏｎ  ｓｏｌｕｔｉｏｎ）（ロット＃０１１３９Ｑ）中に保存してあったＨｅｌａ（ロット＃９８０４２７Ｈ）、Ｃａｓｋｉ（ロット＃９８０４１６Ｃ）およびＳｉｈａ（ロット＃９８０４１６Ｓ）細胞株をシティク２０００装置を用いて顕微鏡スライド上に沈着させた。沈着の後、スライドをアルコール内に置き、ディスカバリー（Ｄｉｓｃｏｖｅｒｙ（Ｒ））インシトゥ染色モジュール（ヴェンタナ・メディカル・システムズ社（Ｔｕｓｃｏｎ，ＡＺ））で使用するまで湿潤状態の保持した。スライドを装置内に配置し、２０Ｘ  ＳＳＣ（ヴェンタナＰ／Ｎ６５０−０１２）から調製した２Ｘ  ＳＳＣを用いて湿潤化した。最近はＤｅｐａｒ３０と呼ばれる細胞コンディショニングプロトコールでスライドを処理し、これでは、スライドを２Ｘ  ＳＳＣを用いてリンスし、スライドの温度を９５℃に約３０分間上げる。次いでスライドを３７℃に冷却し、ＡＰＫウオッシュ（Ｒ）を用いてリンスし、次いでインシトゥ染色処理する。
【００６１】
プロトコールのブルー・スワップ（Ｂｌｕｅ  Ｓｗａｐ）ＩＳＨを用いて、細胞株をＨＰＶ１６／１８〔エンゾ（Ｅｎｚｏ）ＨＰＶ１６／１８バイオ・プローブ（Ｂｉｏ  Ｐｒｏｂｅ）カタログ＃３２８７４〕で染色した。プローブ適用に先立って、細胞株を酵素的にプロテアーゼ２（ヴェンタナＰ／Ｎ２５０−２０１９）を用いて消化する。プローブ適用の後、プローブおよび生物学的試料を同時に９５℃、８分間で変性する。非特異的に結合したプローブを、５５℃で２Ｘ  ＳＳＣのストリンジェント洗浄を用いて洗い落とす。次いでプローブをストレプタヴィジン・アルク・フォス（Ｓｔｒｅｐｔａｖｉｄｉｎ  Ａｌｋ  Ｐｈｏｓ）およびＮＢＴ／ＢＣＩＰを用いて検出する。
【００６２】
細胞株を染色後に９５％エタノールに１分間暴露および１００％エタノールへの１分間暴露を二回反復して脱水した。エタノール処理の後に、スライドをキシレンに３分間、２回暴露した。脱水の後、スライドにカバースリップを適用した。
【００６３】
コンディショニング後の染色した細胞株は、許容できる形態を示し、これらのスライド上の高いバックグラウンドがあり、これはさらにプロセスを開発する必要性を示している。
湿潤負荷スライド
１．適用をスキップし、そして２分間インキュベーションする。
２．スライドをリンスする（２Ｘ  ＳＳＣ緩衝液）（スライドを６５℃に加温する）
３．スライド体積を調整し、カバースリップを適用する。
４．適用をスキップし、そして６分間インキュベーションする。
５．スライドをリンスする（２Ｘ  ＳＳＣ緩衝液）（スライドを９５℃に加温する）。
６．スライド体積を調整し、次いでカバースリップを適用する。
７．スライドをリンスする。
８．スライド体積を調整し、次いでカバースリップを適用する。
９．適用をスキップし、そして４分間インキュベーションする。
１０．スライド体積を調整し、次いでカバースリップを適用する。
１１．適用をスキップし、そして４分間インキュベーションする。
１２．スライド体積を調整し、次いでカバースリップを適用する。
１３．適用をスキップし、そして４分間インキュベーションする。
１４．スライド体積を調整し、次いでカバースリップを適用する。
１５．適用をスキップし、そして４分間インキュベーションする。
１６．スライド体積を調整し、次いでカバースリップを適用する。
１７．適用をスキップし、そして４分間インキュベーションする。
１８．スライド体積を調整し、次いでカバースリップを適用する。
１９．適用をスキップし、そして４分間インキュベーションする。
２０．スライド体積を調整し、次いでカバースリップを適用する。
２１．適用をスキップし、そして４分間インキュベーションする。
２２．スライドをリンスする（２Ｘ  ＳＳＣ緩衝液）（スライドを３７℃に加温する）。
２３．スライド体積を調整し、次いでカバースリップを適用する。
２４．適用をスキップし、そして４分間インキュベーションする。
２５．スライドをリンスする（ＡＰＫウオッシュ）。
２６．スライド体積を調整し、次いでカバースリップを適用する。
【実施例５】
【００６４】
単独コピーＤＮＡ検出のための自動化された「暴露」および「細胞コンディショニング」
ホルマリン固定しパラフィン包埋された細胞株Ｃａｓｋｉ（Ｒ９６−１０５０Ａ）およびＳｉｈａ（Ｒ９６−９６−Ｃ２）を含むスライドをヴェンタナ標的スライド上で染色した。スライドを装置上に乾燥負荷し、スライド温度を６５℃に上げた。Ｄｅｐａｒ３０プロトコールで処理し、これによると、スライドを６５℃で２ｘ  ＳＳＣ緩衝液を用いてリンスし、次いで９５℃に４０分間加熱した。次いでスライドを３７℃に冷却し、ＡＰＫウオッシュを用いてリンスした。この時点で下記のインシトゥプロトコールを実施した。
インシトゥプロトコール：      Ｔｕｂｂｓ１
（ダコ（Ｄａｋｏ）ＴＢＳＴ＃３３６０を非−プローブ                              段階の間のヴェンタナＡＰＫウオッシュに置換した）
プロテアーゼ消化：            プロテアーゼ２、４分間、３７℃
インヒビター段階：            ＤＡＢキットからのヴェンタナインヒビター、３２分                                間、３７℃
プローブ：                    エンゾＨＰＶバイオ・プローブ１６／１８
対照プローブ：                エンゾＨＰＶバイオ・プローブ６／１１
変性：                        ９５℃、８分間
ハイブリダイゼーション：      ３７℃、６４分間
二回ストリンジェント洗浄：    ２ＸＳＳＣ、６０℃、それぞれ８分間
第三回目ストリンジェント洗浄：２ＸＳＳＣ、３７℃、４分間
プローブ検出：                ストレプタヴィジンＨＰＲＯ
（ダコ・ジーンポイント（ＧｅｎＰｏ  ｉｎｔ）＃Ｋ                                ０６２０）
増幅：                        ビオチン化チラミド（Ｂｉｏｔｉｎｙｌ  
Ｔｙｒａｍｉｄｅ）
（ダコ・ジーンポイント＃Ｋ０６２０）
検出：                        ストレプタヴィジンＨＰＲＯ
（ダコ・ジーンポイント＃Ｋ０６２０）
または
ストレプタヴィジン・アルク・フォス
（ベクター＃ＳＡ５１００）
色原体：                      ＤＡＢ（ダコ・ジーンポイント＃Ｋ０６２０）
または
ヴェンタナＮＢＴ／ＢＣＩＰ（キットＰ／Ｎ）
または
ヴェンタナ・ナフトール／ファスト・レッド
（キットＰ／Ｎ）
【実施例６】
【００６５】
非−パラフィン包埋試料のための自動化された「細胞コンディショニング」
実施例２中に記載したＤＡＢ染色のためのプロトコールをこの実施例で使用した。
【００６６】
これらの抗体に対する細胞コンディショニングは、シティク２０００（Ｒ）装置を用いて行い、細胞株のシンプレプ（Ｒ）を調製した。シンプレプ（Ｒ）は、ヴェンタナＥＳ装置、ＮｅｘＥＳ装置および手動方法（シティク社）により、ＥＲ、ＰｇＲ、Ｋｉ６７、Ｐ５３への抗体を用いて染色した。スライドの２群をＮｅｓＥＳインシトゥ・モジュールで染色し、細胞コンディショニング段階を自動化により実行させた。
【００６７】
上記の実施例は、シティク（Ｒ）装置およびシンプレプ（Ｒ）の染色に特定されているが、この経験は、細胞学的標本調製のこのモードに限定されない。
【実施例７】
【００６８】
冷凍生物学的試料の「細胞コンディショニング」
冷凍扁桃ブロック２９７Ｃおよび２９７Ｄは、各ブロックから切片６個を切り取り、試料を顕微鏡スライド上において調製した。各ブロックからのスライド４枚をディスカバリーＴＭインシトゥ・モジュール上に配置し、プロトコールＤｅｐａｒ１０で処理した。
【００６９】
スライドを６５℃に６分間乾燥加熱し、次いで０．１Ｍ  ＥＤＴＡ緩衝液、ｐＨ８を用いてリンスした。リンスの後スライドを６５℃で２０分間インキュベーションした。次いでスライドを３７℃に冷却し、ＡＰＫウオッシュを用いてリンスした。各ブロックからのスライド２枚は、対照として未処理のままとした。Ｄｅｐａｒ１０処理の後、各ブロックからの処理スライド２枚および未処理スライド１枚を実施例１記載のようにしてＨ＆Ｅ染色した。各ブロックからの処理スライド２枚および未処理スライド１枚をＬＣＡで染色した。試験結果：Ｈ＆Ｅ染色および抗体染色の双方とも、処理と未処理スライドの間で染色の違いはなかった。
【００７０】
以上の詳細な記述から、本発明の真の精神および範囲から外れることなく、本発明の実施態様に対して多数の変化および変更が可能であることが認められる。
【００７１】
本発明の真の精神および範囲は、添付の特許請求範囲により規定され、以上の明細書を参照して解釈されるべきである。